【手続補正書】
【提出日】平成19年11月19日(2007.11.19)
【手続補正１】
【補正対象書類名】特許請求の範囲
【補正対象項目名】全文
【補正方法】変更
【補正の内容】
【特許請求の範囲】
【請求項１】
入力装置および表示装置を有する操作端末を備えた医用画像診断装置において、
アプリケーションの実行状態別にスクリーンセーバの形状を記憶するスクリーンセーバ形状記憶部と、
前記スクリーンセーバの起動条件となる事象を検出するスクリーンセーバ起動事象検出部と、
前記アプリケーションの実行状態をアプリケーション実行状態情報として検出するアプリケーション実行状態検出部と、
前記スクリーンセーバ形状記憶部から前記アプリケーションの実行状態に応じた前記スクリーンセーバの形状を読み込んで、読み込んだ前記スクリーンセーバの形状を基に前記スクリーンセーバを前記表示装置に表示させるためのスクリーンセーバ画像情報を作成するスクリーンセーバ画面作成部と、
前記スクリーンセーバ起動事象検出部から前記スクリーンセーバの起動条件となる事象を検出した旨の通知を受けて、前記アプリケーション実行状態検出部に前記アプリケーションの実行状態の検出を要求する一方、前記アプリケーション実行状態検出部において検出された前記アプリケーション実行状態情報を受け取り、受け取った前記アプリケーション実行状態情報を前記スクリーンセーバ画面作成部に与えて前記スクリーンセーバ画像情報の作成を要求するスクリーンセーバ管理部と、
備えることを特徴とする医用画像診断装置。
【請求項２】
表示装置に画像情報を与えて操作画面を表示させる一方、入力装置から受けた情報に基づいて、前記アプリケーションの実行状態別に前記スクリーンセーバの形状を設定し、設定した前記スクリーンセーバの形状を前記スクリーンセーバ記憶部に書き込んで記憶させるスクリーンセーバ形状設定部を設けたことを特徴とする請求項１記載の医用画像診断装置。
【請求項３】
表示装置に画像情報を与えて操作画面を表示させる一方、入力装置から受けた情報に基づいて、前記スクリーンセーバの起動条件を設定してスクリーンセーバ起動事象検出部に与えるスクリーンセーバ起動条件設定部を設け、前記スクリーンセーバ起動条件設定部は、前記スクリーンセーバ起動条件設定部から受けた前記スクリーンセーバの起動条件に基づいて前記スクリーンセーバの起動条件となる事象を検出するように構成したことを特徴とする請求項１記載の医用画像診断装置。
【請求項４】
前記アプリケーション実行状態検出部は、前記アプリケーション実行状態情報に、起動されているアプリケーションの種別及びアプリケーションの実行ステータスを含めて検出するように構成したことを特徴とする請求項１記載の医用画像診断装置。
【請求項５】
前記アプリケーション実行状態検出部は、前記アプリケーション実行状態情報に、前記アプリケーションの利用者の属性及びアプリケーションの実行ステータスを含めて検出するように構成したことを特徴とする請求項１記載の医用画像診断装置。
【請求項６】
入力装置および表示装置を有する操作端末を備えた医用画像診断装置のセキュリティ管理方法において、
アプリケーションの実行状態別にスクリーンセーバの形状を記憶するステップと、
前記スクリーンセーバの起動条件となる事象を検出するステップと、
前記スクリーンセーバの起動条件となる事象が検出された場合に前記アプリケーションの実行状態を検出するステップと、
前記記憶された前記スクリーンセーバの形状のうち、検出された前記アプリケーションの実行状態に応じた前記スクリーンセーバの形状を用いて前記スクリーンセーバを前記表示装置に表示させるためのスクリーンセーバ画像情報を作成するステップと、
を有することを特徴とするセキュリティ管理方法。
【請求項７】
入力装置および表示装置を有する操作端末を備えたセキュリティ管理システムにおいて、
アプリケーションの実行状態別にスクリーンセーバの形状を記憶するスクリーンセーバ形状記憶部と、
前記スクリーンセーバの起動条件となる事象を検出するスクリーンセーバ起動事象検出部と、
前記アプリケーションの実行状態をアプリケーション実行状態情報として検出するアプリケーション実行状態検出部と、
前記スクリーンセーバ形状記憶部から前記アプリケーションの実行状態に応じた前記スクリーンセーバの形状を読み込んで、読み込んだ前記スクリーンセーバの形状を基に前記スクリーンセーバを前記表示装置に表示させるためのスクリーンセーバ画像情報を作成するスクリーンセーバ画面作成部と、
前記スクリーンセーバ起動事象検出部から前記スクリーンセーバの起動条件となる事象を検出した旨の通知を受けて、前記アプリケーション実行状態検出部に前記アプリケーションの実行状態の検出を要求する一方、前記アプリケーション実行状態検出部において検出された前記アプリケーション実行状態情報を受け取り、受け取った前記アプリケーション実行状態情報を前記スクリーンセーバ画面作成部に与えて前記スクリーンセーバ画像情報の作成を要求するスクリーンセーバ管理部と、
を備えることを特徴とするセキュリティ管理システム。
【請求項８】
入力装置および表示装置を有する操作端末を備えたセキュリティ管理方法において、
アプリケーションの実行状態別にスクリーンセーバの形状を記憶するステップと、
前記スクリーンセーバの起動条件となる事象を検出するステップと、
前記スクリーンセーバの起動条件となる事象が検出された場合に前記アプリケーションの実行状態を検出するステップと、
前記記憶された前記スクリーンセーバの形状のうち、検出された前記アプリケーションの実行状態に応じた前記スクリーンセーバの形状を用いて前記スクリーンセーバを前記表示装置に表示させるためのスクリーンセーバ画像情報を作成するステップと、
を有することを特徴とするセキュリティ管理方法。
【請求項９】
入力装置および表示装置を有する操作端末を備えた医用画像診断装置において、
表示遮蔽を作用させる領域情報を記憶する表示遮蔽領域情報記憶部と、
前記表示遮蔽の起動条件となる事象を検出する表示遮蔽起動事象検出部と、
前記表示遮蔽起動事象検出部で前記事象を検出すると、前記表示遮蔽領域情報記憶部から前記領域情報を読み込んで、読み込んだ前記領域情報を基に前記表示遮蔽を前記表示装置に表示させるための表示遮蔽画面情報を作成する表示遮蔽画面作成部と、
を備えることを特徴とする医用画像診断装置。
【請求項１０】
入力装置および表示装置を有する操作端末を備えたセキュリティ管理システムにおいて、
表示遮蔽を作用させる領域情報を記憶する表示遮蔽領域情報記憶部と、
前記表示遮蔽の起動条件となる事象を検出する表示遮蔽起動事象検出部と、
前記表示遮蔽起動事象検出部で前記事象を検出すると、前記表示遮蔽領域情報記憶部から前記領域情報を読み込んで、読み込んだ前記領域情報を基に前記表示遮蔽を前記表示装置に表示させるための表示遮蔽画面情報を作成する表示遮蔽画面作成部と、
を備えることを特徴とするセキュリティ管理システム。
【請求項１１】
入力装置および表示装置を有する操作端末を備えたセキュリティ管理方法において、
表示遮蔽を作用させる領域情報を記憶するステップと、
前記表示遮蔽の起動条件となる事象を検出するステップと、
前記事象を検出すると、前記領域情報を読み込んで、読み込んだ前記領域情報を基に前記表示遮蔽を前記表示装置に表示させるための表示遮蔽画面情報を作成するステップと、
を有することを特徴とするセキュリティ管理方法。
【請求項１２】
入力装置および表示装置を有する操作端末を備えた医用画像診断装置のセキュリティ管理方法において、
表示遮蔽を作用させる領域情報を記憶するステップと、
前記表示遮蔽の起動条件となる事象を検出するステップと、
前記事象を検出すると、前記領域情報を読み込んで、読み込んだ前記領域情報を基に前記表示遮蔽を前記表示装置に表示させるための表示遮蔽画面情報を作成するステップと、
を有することを特徴とするセキュリティ管理方法。
【手続補正２】
【補正対象書類名】明細書
【補正対象項目名】発明の名称
【補正方法】変更
【補正の内容】
【発明の名称】医用画像診断装置、セキュリティ管理システムおよびセキュリティ管理方法
【手続補正３】
【補正対象書類名】明細書
【補正対象項目名】０００１
【補正方法】変更
【補正の内容】
【０００１】
本発明は、操作端末にスクリーンセーバ画面を表示させて特定の利用者以外の者が閲覧することが適切でない情報を秘匿することにより情報のセキュリティを確保することが可能な医用画像診断装置、セキュリティ管理システムおよびセキュリティ管理方法に係り、特に、スクリーンセーバ起動中であっても複数の利用者が閲覧を希望する所望の情報を装置のステータスや各利用者のそれぞれの権限といった条件に応じて所望の表示方法で操作端末に表示させることが可能な医用画像診断装置、セキュリティ管理システムおよびセキュリティ管理方法に関する。
【手続補正４】
【補正対象書類名】明細書
【補正対象項目名】００１１
【補正方法】変更
【補正の内容】
【００１１】
本発明はかかる従来の事情に対処するためになされたものであり、操作端末にスクリーンセーバ画面を表示させて特定の利用者以外の者が閲覧することが適切でない情報を秘匿することにより情報のセキュリティを確保する一方、スクリーンセーバ起動中であっても複数の利用者が閲覧を希望する所望の情報を装置のステータスや各利用者のそれぞれの権限といった条件に応じて所望の表示方法で操作端末に表示させることが可能な医用画像診断装置、セキュリティ管理システムおよびセキュリティ管理方法を提供することを目的とする。
【手続補正５】
【補正対象書類名】明細書
【補正対象項目名】００１３
【補正方法】変更
【補正の内容】
【００１３】
また、本発明に係るセキュリティ管理方法は、上述の目的を達成するために、請求項６に記載したように、入力装置および表示装置を有する操作端末を備えた医用画像診断装置のセキュリティ管理方法において、アプリケーションの実行状態別にスクリーンセーバの形状を記憶するステップと、前記スクリーンセーバの起動条件となる事象を検出するステップと、前記スクリーンセーバの起動条件となる事象が検出された場合に前記アプリケーションの実行状態を検出するステップと、前記記憶された前記スクリーンセーバの形状のうち、検出された前記アプリケーションの実行状態に応じた前記スクリーンセーバの形状を用いて前記スクリーンセーバを前記表示装置に表示させるためのスクリーンセーバ画像情報を作成するステップとを有することを特徴とするものである。また、本発明に係るセキュリティ管理システムは、上述の目的を達成するために、請求項７に記載したように、入力装置および表示装置を有する操作端末を備えたセキュリティ管理システムにおいて、アプリケーションの実行状態別にスクリーンセーバの形状を記憶するスクリーンセーバ形状記憶部と、前記スクリーンセーバの起動条件となる事象を検出するスクリーンセーバ起動事象検出部と、前記アプリケーションの実行状態をアプリケーション実行状態情報として検出するアプリケーション実行状態検出部と、前記スクリーンセーバ形状記憶部から前記アプリケーションの実行状態に応じた前記スクリーンセーバの形状を読み込んで、読み込んだ前記スクリーンセーバの形状を基に前記スクリーンセーバを前記表示装置に表示させるためのスクリーンセーバ画像情報を作成するスクリーンセーバ画面作成部と、前記スクリーンセーバ起動事象検出部から前記スクリーンセーバの起動条件となる事象を検出した旨の通知を受けて、前記アプリケーション実行状態検出部に前記アプリケーションの実行状態の検出を要求する一方、前記アプリケーション実行状態検出部において検出された前記アプリケーション実行状態情報を受け取り、受け取った前記アプリケーション実行状態情報を前記スクリーンセーバ画面作成部に与えて前記スクリーンセーバ画像情報の作成を要求するスクリーンセーバ管理部とを備えることを特徴とするものである。また、本発明に係るセキュリティ管理方法は、上述の目的を達成するために、請求項８に記載したように、入力装置および表示装置を有する操作端末を備えたセキュリティ管理方法において、アプリケーションの実行状態別にスクリーンセーバの形状を記憶するステップと、前記スクリーンセーバの起動条件となる事象を検出するステップと、前記スクリーンセーバの起動条件となる事象が検出された場合に前記アプリケーションの実行状態を検出するステップと、前記記憶された前記スクリーンセーバの形状のうち、検出された前記アプリケーションの実行状態に応じた前記スクリーンセーバの形状を用いて前記スクリーンセーバを前記表示装置に表示させるためのスクリーンセーバ画像情報を作成するステップとを有することを特徴とするものである。また、本発明に係る医用画像診断装置は、上述の目的を達成するために、請求項９に記載したように、入力装置および表示装置を有する操作端末を備えた医用画像診断装置において、表示遮蔽を作用させる領域情報を記憶する表示遮蔽領域情報記憶部と、前記表示遮蔽の起動条件となる事象を検出する表示遮蔽起動事象検出部と、前記表示遮蔽起動事象検出部で前記事象を検出すると、前記表示遮蔽領域情報記憶部から前記領域情報を読み込んで、読み込んだ前記領域情報を基に前記表示遮蔽を前記表示装置に表示させるための表示遮蔽画面情報を作成する表示遮蔽画面作成部と、
を備えることを特徴とするものである。また、本発明に係るセキュリティ管理システムは、上述の目的を達成するために、請求項１０に記載したように、入力装置および表示装置を有する操作端末を備えたセキュリティ管理システムにおいて、表示遮蔽を作用させる領域情報を記憶する表示遮蔽領域情報記憶部と、前記表示遮蔽の起動条件となる事象を検出する表示遮蔽起動事象検出部と、前記表示遮蔽起動事象検出部で前記事象を検出すると、前記表示遮蔽領域情報記憶部から前記領域情報を読み込んで、読み込んだ前記領域情報を基に前記表示遮蔽を前記表示装置に表示させるための表示遮蔽画面情報を作成する表示遮蔽画面作成部とを備えることを特徴とするものである。また、本発明に係るセキュリティ管理方法は、上述の目的を達成するために、請求項１１に記載したように、入力装置および表示装置を有する操作端末を備えたセキュリティ管理方法において、表示遮蔽を作用させる領域情報を記憶するステップと、前記表示遮蔽の起動条件となる事象を検出するステップと、前記事象を検出すると、前記領域情報を読み込んで、読み込んだ前記領域情報を基に前記表示遮蔽を前記表示装置に表示させるための表示遮蔽画面情報を作成するステップとを有することを特徴とするものである。また、本発明に係るセキュリティ管理方法は、上述の目的を達成するために、請求項１２に記載したように、入力装置および表示装置を有する操作端末を備えた医用画像診断装置のセキュリティ管理方法において、表示遮蔽を作用させる領域情報を記憶するステップと、前記表示遮蔽の起動条件となる事象を検出するステップと、前記事象を検出すると、前記領域情報を読み込んで、読み込んだ前記領域情報を基に前記表示遮蔽を前記表示装置に表示させるための表示遮蔽画面情報を作成するステップとを有することを特徴とするものである。
【手続補正６】
【補正対象書類名】明細書
【補正対象項目名】００１４
【補正方法】変更
【補正の内容】
【００１４】
本発明に係る医用画像診断装置、セキュリティ管理システムおよびセキュリティ管理方法においては、操作端末にスクリーンセーバ画面を表示させて特定の利用者以外の者が閲覧することが適切でない情報を秘匿することにより情報のセキュリティを確保する一方、スクリーンセーバ起動中であっても複数の利用者が閲覧を希望する所望の情報を装置のステータスや各利用者のそれぞれの権限といった条件に応じて所望の表示方法で操作端末に表示させることができる。
【手続補正７】
【補正対象書類名】明細書
【補正対象項目名】００１５
【補正方法】変更
【補正の内容】
【００１５】
本発明に係る医用画像診断装置、セキュリティ管理システムおよびセキュリティ管理方法の実施の形態について添付図面を参照して説明する。